(57)【特許請求の範囲】
【請求項１】
飲料を収容する有底筒状の容器本体（２）を設け、この容器本体の上端中央に容器本体内と連通する開口（３）を設け、この開口を形成する周壁の上端を外側に向けて延ばしたフランジ部（５）を設け、容器本体の前面に中央の開口と連通した注ぎ口（６）を設け、開口（３）の内周壁に雌ネジ（７）を刻設すると共に、中空筒状の筒体部（４ａ）と上端面平板状の平板部（４ｂ）とを有し、筒体部（４ａ）の外周壁に容器本体の雌ネジ（７）と螺着する雄ネジ（１０）とを備えた蓋体（４）を設け、容器本体の雌ネジ（７）と蓋体の雄ネジ（１０）とを時計回りに螺合せてなる飲料用容器（１）に於いて、
上記開口（３）の内周壁の雌ネジ（７）は、二つの部分雌ネジ（７ａ）と部分雌ネジ（７ｂ）とからなり、この部分雌ネジ（７ａ）又は部分雌ネジ（７ｂ）は、それぞれ同一ピッチ、同一長さで開口（３）の内周壁に刻設された二重ネジの一部であって、それぞれが開口（３）の内周壁の全周の四分の一以下の長さを有すると共に、この雌ネジ（７）と螺着する蓋体（４）の雄ネジ（１０）が、部分雄ネジ（１０ａ）と部分雄ネジ（１０ｂ）とからなり、この部分雄ネジ（１０ａ）又は部分雄ネジ（１０ｂ）は、それぞれ同一ピッチ、同一長さで開口（３）の内周壁に刻設された二重ネジの一部であって、それぞれが部分雌ネジ（７ａ）と部分雌ネジ（７ｂ）との間に入る長さを有し、容器本体（２）のフランジ部（５）上面に設けた矢印Ａと、蓋体（４）の平板部（４ｂ）上面に設けた矢印Ｂとが同一線上に一致する時点でのみ容器本体（２）と蓋体（４）との螺着の初期設定が開始される状態に導きだされることを特徴とした飲料用容器。
【発明の詳細な説明】
【技術分野】
【０００１】
本発明は、水やお茶等の飲料を収容した状態で、冷蔵庫のドアボックス等に収めて冷やすことのできるピッチャー等の飲料用容器に関するものである。
【背景技術】
【０００２】
一般に、飲料用容器としてのピッチャーでは、ピッチャー本体の大きな口径の中央開口を閉鎖する蓋体が、単にピッチャー本体の中央開口より虫やゴミ等が入らないように、この中央開口に上方より差し込んだだけのものであった。
しかしながら、蓋体を差し込んだだけならば、コップ等に注ぐ際、このピッチャー本体を傾けると、蓋体も同時に傾き、外れてしまう恐れがあった。
【０００３】
そこで、この蓋体の離脱を回避するために、このピッチャー本体の中央開口を形成する内周壁に雌ネジを刻設し、この雌ネジに螺着する雄ネジを蓋体の外周壁に２層乃至３層の全周ネジとして廻し、ピッチャー本体の中央開口に蓋体を堅く螺着した構造の飲料用容器としてのピッチャーが特開２０１１−５６２５４号公報として存在する。
【先行技術文献】
【特許文献】
【０００４】
【特許文献１】特開２０１１−５６２５４号公報（図１、図３参照）
【発明の概要】
【発明が解決しようとする課題】
【０００５】
ところが、このような飲料用容器としてのピッチャーでは、ピッチャー本体の中央開口を形成する内周壁に刻設した雌ネジ２２２が全周ネジでなく、部分ネジであっても、その雌ネジ２２２に螺着する蓋体側の雄ネジ３０８が、何層にもなった全周ネジであるので、ピッチャー本体の中央開口内に蓋体を螺着する際、何度も蓋体を回さなければならず、しかもピッチャー本体側の雌ネジと蓋体側の雄ネジとの最初の螺合わせ箇所が容易につかめにくく、蓋体が外れてしまう恐れはなくとも、蓋体を簡単かつスムーズに操作できないという問題点があった。
【０００６】
特に、高齢者等が使用するには、ピッチャー本体側と蓋体側との最初の取っ掛かりがスムーズにいかないと、無理に嵌めこんで蓋体が斜めにピッチャー本体側に入り込んだままの状態となり、次に蓋体を取り外す際に、ネジの噛み合わせが狂って取り外すことができないという問題点があった。
更に、高齢者等にあっては、蓋体をピッチャー本体に対して、何度も何度も回して螺着するのには、手間がかかり、作業が煩わしくて使い勝手が非常に悪いという問題点があった。
【課題を解決するための手段】
【０００７】
本発明は、飲料を収容する有底筒状の容器本体２を設け、この容器本体の上端中央に容器本体内と連通する開口３を設け、この開口を形成する周壁の上端を外側に向けて延ばしたフランジ部５を設け、容器本体の前面に中央の開口と連通した注ぎ口６を設け、開口３の内周壁に雌ネジ７を刻設すると共に、中空筒状の筒体部４ａと上端面平板状の平板部４ｂとを有し、筒体部４ａの外周壁に容器本体の雌ネジ７と螺着する雄ネジ１０とを備えた蓋体４を設け、容器本体の雌ネジ７と蓋体の雄ネジ１０とを時計回りに螺合せてなる飲料用容器１に於いて、上記開口３の内周壁の雌ネジ７は、二つの部分雌ネジ７ａと部分雌ネジ７ｂとからなり、この部分雌ネジ７ａ又は部分雌ネジ７ｂは、それぞれ同一ピッチ、同一長さで開口３の内周壁に刻設された二重ネジの一部であって、それぞれが開口３の内周壁の全周の四分の一以下の長さを有すると共に、この雌ネジ７と螺着する蓋体４の雄ネジ１０が、部分雄ネジ１０ａと部分雄ネジ１０ｂとからなり、この部分雄ネジ１０ａ又は部分雄ネジ１０ｂは、それぞれ同一ピッチ、同一長さで開口３の内周壁に刻設された二重ネジの一部であって、それぞれが部分雌ネジ７ａと部分雌ネジ７ｂとの間に入る長さを有し、容器本体２のフランジ部５上面に設けた矢印Ａと、蓋体４の平板部４ｂ上面に設けた矢印Ｂとが同一線上に一致する時点でのみ容器本体２と蓋体４との螺着の初期設定が開始される状態に導きだされる構成としている。
【発明の効果】
【０００８】
本発明は、従来の問題点を解決したものであって、簡単かつ確実に螺着でき、手間がかからず、極めて容易かつスムーズに操作できて、蓋体を困難なく着脱でき、特に高齢者等にあっては、使い勝手の良い飲料用容器を提供するにある。
【図面の簡単な説明】
【０００９】
【図１】本発明実施例の斜視図。
【図２】本発明実施例の平面図。
【図３】本発明実施例の分解斜視図。
【図４】本発明実施例の容器本体の上部を示す縦断面図。
【図５】本発明実施例の容器本体を示す平面図。
【図６】本発明実施例の蓋体を示す平面図。
【図７】本発明実施例の蓋体を示す左側面図。
【図８】本発明実施例の蓋体を示す縦断面図。
【発明を実施するための最良の形態】
【００１０】
飲料用容器１は、図１に示すように、飲料を収容する有底筒状の容器本体２と、容器本体の中央上端の開口３を開閉する蓋体４とから構成している。
【００１１】
容器本体２は、合成樹脂材料にて筒状の胴体２ａ上端に肩部２ｂを一体成形しており、この肩部２ｂ上端中央に胴体内と連通する開口３を設けている。この開口３を形成する外周壁には、外側に向けて延ばしてなるフランジ部５を設けている。
【００１２】
このフランジ部５は、上面で後述の注ぎ口６よりも４５度時計逆回りの位置に後述の蓋体セット初期位置を決める矢印Ａを刻設している。又、フランジ部５の内周壁上端内側には、後述の蓋体４の平板部４ｂが納められる段差部５ａが設けられている。
【００１３】
この開口３の前面側には、図３及び図４に示すように、開口と連通する注ぎ口６が前方に突出されている。この注ぎ口６は、フランジ部５の前面側を押し下げて開口と連通するように形成されている。
容器本体２の開口３を形成する内周壁には、図３及び図５に示すように、雌ネジ７である二つの部分雌ネジ７ａと７ｂとが刻設されている。
【００１４】
この二つの部分雌ネジ７ａと７ｂとは、図５に示すように、それぞれ二重ネジの一部であって、それぞれ同一ピッチ、同一長さでそれぞれが開口３の中心より対角線上に配設されており、開口の内周壁の全周の四分の一以下の長さを有している。
この部分雌ネジ７ａは、図５に示すように、フランジ部５の矢印Ａ位置より内周壁の左右両側に対称の長さに配設されている。
【００１５】
蓋体４は、図６乃至図８に示すように、内部中空の筒体部４ａと、この筒体部の上端を覆う薄板状の平板部４ｂとからなり、この平板部の上に把手８を一体成形している。
この筒体部４ａの外周壁には、容器本体２の雌ネジ７と螺着する雄ネジ１０が刻設されている。
【００１６】
この雄ネジ１０は、雌ネジ７と同様に、二つの部分雄ネジ１０ａと１０ｂとからなっている。この二つの部分雄ネジ１０ａと１０ｂとは、図６乃至図７に示すように、それぞれ二重ネジの一部であって、それぞれ同一ピッチ、同一長さでそれぞれが筒体の中心より対角線上に配設されており、それぞれが二つの部分雌ネジ７ａと７ｂとの間に挟まれる長さに形成されている。
１１は、雌ネジ７と螺着する雌ネジ７の終着を示すストッパー部である。
【００１７】
蓋体４の筒体部４ａの前面側には、容器本体２内の飲料が中空の筒体部内を通って注ぎ口６に注ぎ得るための通出口９が穿設されている。
蓋体４の平板部４ｂは、円盤状であって、図６乃至図８に示すように、容器本体２の開口３に挿入される外径を有している。
この開口挿入時、開口の段差部５ａに平板部４ｂの外周端が載置されることとなる。
【００１８】
平板部４ｂの上面には、図６に示すように、二つの部分雄ネジ１０ａと１０ｂとの中間となる位置の前方に矢印Ｂを刻設している。
この蓋体４の部分雄ネジ１０ａ又は１０ｂがそれぞれ容器本体２の部分雌ネジ７ａと７ｂとの間に挟まれ、蓋体自体が、開口３内に沈み込んだ状態のときに、フランジ部５の矢印Ａと平板部４ｂの矢印Ｂとが直線上となるようにしている。
【００１９】
この容器本体２の矢印Ａと蓋体４の矢印Ｂとが直線上に並べば、蓋体４を時計回りに回して蓋体を螺着することができるが、矢印Ａと矢印Ｂとが並ばないと常に雌ネジ７上の一部に雄ネジ１０の一部が乗り上げた状態とるために、蓋体を螺着することができない。
【００２０】
従って、高齢者であっても、容器本体２の矢印Ａに蓋体４の矢印Ｂを向かい合わせれば、螺着の初期セット状態となり、蓋体を時計回りに回して、矢印Ｂが注ぎ口６上方位置まで回せば簡単かつスムーズに蓋体をセットすることができる。
【００２１】
把手８は、図６乃至図８に示すように、蓋体４の平板部４ｂ上面の矢印Ｂの後方より上方に延びた前方垂直部と、この前方垂直部の上端を平板部４ｂと平行に延びた水平部と、この水平部の後方端を平板部４ｂへ垂下した後方垂直部とを同一幅で一体成形している。
蓋体４の矢印Ｂは、特に設けることなく、矢印Ｂの後方に当たる把手８の前方垂直部の幅のほぼ中央の前面を矢印Ｂの替わりとして、フランジ部５の矢印Ａと直線上となるようにしてもよい。
１２は、蓋体４の筒体部４ａ上端外周と平板部４ｂ下端との間に張設されて、容器本体と蓋体とを締め付けるためのシールパッキンである。
【００２２】
以上本発明の代表的と思われる実施例について説明したが、本発明は必ずしもこれら実施例構造のみに限定されるものではなく、例えば卓上型魔法瓶のように本発明にいう前記の構成要件を備え、かつ、本発明にいう目的を達成し、本発明にいう効果を有する範囲内において適宜改変して実施することができるものである。
【符号の説明】
【００２３】
１…飲料用容器
２…容器本体
２ａ…胴体
２ｂ…肩部
３…開口
４…蓋体
４ａ…筒体部
４ｂ…平板部
５…フランジ部
５ａ…段差部
６…注ぎ口
７…雌ネジ
７ａ…部分雌ネジ
７ｂ…部分雌ネジ
８…把手
９…通出口
１０…雄ネジ
１０ａ…部分雄ネジ
１０ｂ…部分雄ネジ
１１…ストッパー部
１２…シールパッキン
Ａ…容器本体側の矢印
Ｂ…蓋体側の矢印
【図１】
0005953346.tif 000002
【図２】
0005953346.tif 000003
【図３】
0005953346.tif 000004
【図４】
0005953346.tif 000005
【図５】
0005953346.tif 000006
【図６】
0005953346.tif 000007
【図７】
0005953346.tif 000008
【図８】
0005953346.tif 000009